(57)【特許請求の範囲】
【請求項１】
外部からの電源の供給を受けて動作する回路を収納した箱形の器体と、複数のねじ端子から成り少なくとも給電用の電線が何れかのねじ端子に接続される端子部とを備えた電気機器であって、端子部は、器体の側面及び天面と平行な方向に並設されるとともに器体の側面及び天面に跨って開口した一乃至複数の端子用凹所にそれぞれねじ端子を配設して成り、端子用凹所の前記天面側の開口を塞ぐ端子カバーを備え、端子カバーには、端子用凹所の前記側面側の開口の少なくとも一部を覆う延設片が一体に形成され、延設片の器体の側面及び天面と平行な方向の移動を規制する規制手段が設けられ、延設片には、複数の隔離片が器体の側面及び天面と平行な方向に互いに隔てられて一体に形成され、規制手段は、隔離片に設けられた凸部と、器体において前記凸部と対向する部位に設けられて凸部と嵌合する凹部とから成ることを特徴とする電気機器。
【請求項２】
前記器体の天面には、端子カバーの一部と対向する位置に溝部が設けられ、端子カバーには、溝部に挿入される複数の突片が設けられ、溝部には、突片が係止される係止凹部が設けられたことを特徴とする請求項１記載の電気機器。
【請求項３】
前記突片は、端子カバーの器体の側面及び天面と平行な方向における両端からそれぞれ外方向に突設され、端子カバーには、前記両端から器体の天面に垂直な方向に突出する一対の摘み部が設けられたことを特徴とする請求項２記載の電気機器。
【発明の詳細な説明】
【技術分野】
【０００１】
本発明は、例えば遠隔監視制御システムの調光端末器等の電気機器に関する。
【背景技術】
【０００２】
従来から、遠隔監視制御システムの調光端末器のように分電盤に収納される電気機器が知られており、例えば特許文献１に開示されている。以下、この種の電気機器の従来例について図面を用いて説明する。尚、以下の説明では、図９における上下を上下方向、器体の長手方向における紙面手前側を前方向、紙面奥側を後方向と定めるものとする。
【０００３】
この従来例は、図９に示すように、分電盤協約寸法として規格化された器体Ａ内に、２線式の信号線を介して中央制御装置（図示せず）に分岐接続され中央制御装置から送出されたアドレスデータ及び制御データを含む伝送信号を受信する伝送処理回路（図示せず）と、アドレスデータが設定されたアドレス設定部（図示せず）と、照明負荷（図示せず）への供給電力を制御する電力制御素子（図示せず）とを収納して成る。器体Ａは、例えば上面開口したアルミダイカスト等の熱伝導性の高い材料から形成された略直方体状のボディ１と、絶縁性を有する合成樹脂材料から形成されて下面を開口した略直方体状のカバー２とを組立ねじ（図示せず）で結合することにより構成される。
【０００４】
カバー２の長手方向における両端部には、それぞれ短手方向に沿って２つのねじ端子（図示せず）を１組として成る複数組の端子部が設けられており、カバー２の前側には、商用電源（図示せず）からの電線が接続される電源用端子部３０と、照明負荷からの電線が接続される負荷用端子部３１とが設けられ、カバー２の後側には、調光信号等の信号を伝送するための信号線が接続される信号用端子部３２が設けられている。
【０００５】
カバー２の長手方向における両端部には、それぞれカバー２の上面及び側面に跨って開口した端子用凹所２０がカバー２の短手方向に沿って複数（図示では４箇所ずつ）設けられており、各端子用凹所２０の間はカバー２と一体に形成された隔壁２１によって隔てられている。これら端子用凹所２０にねじ端子が配設されることで、上記各端子部３０〜３２が構成される。
【０００６】
ボディ１の下部の長手方向における両端部には、それぞれ分電盤内に器体Ａを固定するための固定用部材を結合するための一対の結合孔１０が貫設されている。即ち、結合孔１０には分電盤に設けたＤＩＮ規格のレールに取り付けるための取付具（図示せず）や、器体１同士を連設するための連設板（図示せず）などが挿入される。
【０００７】
ここで、電源用端子部３０には商用電源などの外部からの電源から電力が供給されることから他の端子部３１，３２と比較して高電圧が印加される。このため、電源用端子部３０には、手の指などが触れて感電するのを防止するために端子カバー４が覆設されている。端子カバー４は、絶縁性材料から略矩形板状に形成され、前側の各端子用凹所２０の上面開口を覆う形で器体Ａに固定ねじ５によって取り付けられる。而して、各端子用凹所２０の前側の開口を手の指が入らない程度の寸法とすることができ、手の指が電源用端子部３０に触れるのを防ぐようになっている。
【先行技術文献】
【特許文献】
【０００８】
【特許文献１】特開平５−１５３６７２号公報
【発明の概要】
【発明が解決しようとする課題】
【０００９】
しかしながら、上記従来例では、端子用凹所２０に手の指を強引に挿入しようとすると、端子カバー４が手の指の押圧力によって撓み、押し上げられることで手の指の侵入を許してしまい、手の指が電源用端子部３０に触れる等して安全性が損なわれる虞があった。
【００１０】
本発明は、上記の点に鑑みて為されたもので、電源用端子部への手の指の侵入を防止することができる電気機器を提供することを目的とする。
【課題を解決するための手段】
【００１１】
請求項１の発明は、上記目的を達成するために、外部からの電源の供給を受けて動作する回路を収納した箱形の器体と、複数のねじ端子から成り少なくとも給電用の電線が何れかのねじ端子に接続される端子部とを備えた電気機器であって、端子部は、器体の側面及び天面と平行な方向に並設されるとともに器体の側面及び天面に跨って開口した一乃至複数の端子用凹所にそれぞれねじ端子を配設して成り、端子用凹所の前記天面側の開口を塞ぐ端子カバーを備え、端子カバーには、端子用凹所の前記側面側の開口の少なくとも一部を覆う延設片が一体に形成され、延設片の器体の側面及び天面と平行な方向の移動を規制する規制手段が設けられ、延設片には、複数の隔離片が器体の側面及び天面と平行な方向に互いに隔てられて一体に形成され、規制手段は、隔離片に設けられた凸部と、器体において前記凸部と対向する部位に設けられて凸部と嵌合する凹部とから成ることを特徴とする。
【００１２】
請求項２の発明は、請求項１の発明において、器体の天面には、端子カバーの一部と対向する位置に溝部が設けられ、端子カバーには、溝部に挿入される複数の突片が設けられ、溝部には、突片が係止される係止凹部が設けられたことを特徴とする。
【００１３】
請求項３の発明は、請求項２の発明において、突片は、端子カバーの器体の側面及び天面と平行な方向における両端からそれぞれ外方向に突設され、端子カバーには、前記両端から器体の天面に垂直な方向に突出する一対の摘み部が設けられたことを特徴とする。
【発明の効果】
【００１４】
請求項１の発明によれば、延設片によって手の指の端子用凹所への侵入を防ぐことができ、仮に端子用凹所に手の指を強引に挿入しようとした場合でも延設片が凸部及び凹部の嵌合によって器体の側面及び天面と平行な方向に移動するのを規制されるので、延設片が前記方向に拡開する等して端子カバーが押し上げられるのを防止することができ、端子部への手の指の侵入を防ぐことができる。
【００１５】
請求項２の発明によれば、端子カバーの突片を器体の溝部に挿入するとともに突片を溝部の係止凹部に係止させることで、端子カバーと器体とをねじ止めする事無く端子カバーを器体に容易に取り付けることができる。
【００１６】
請求項３の発明によれば、摘み部を手の指で挟持することで端子カバーを撓ませて突片と係止凹部との係止を解除することができるので、端子カバーを器体から容易に取り外すことができる。
【図面の簡単な説明】
【００１７】
【図１】本発明に係る電気機器の実施形態１を示す図で、（ａ）は全体斜視図で、（ｂ）は一部分解斜視図である。
【図２】本発明に係る電気機器の実施形態２を示す一部分解斜視図である。
【図３】（ａ）は同上の前面図で、（ｂ）は一部拡大した断面図である。
【図４】本発明に係る電気機器の実施形態３を示す図で、（ａ）は全体斜視図で、（ｂ）は一部分解斜視図である。
【図５】同上の他の構成を示す全体斜視図である。
【図６】本発明に係る電気機器の実施形態４を示す図で、（ａ）は器体の斜視図で、（ｂ）は端子カバーの斜視図で、（ｃ）は一部拡大した断面図である。
【図７】本発明に係る電気機器の実施形態５を示す全体斜視図である。
【図８】（ａ）は同上の器体の斜視図で、（ｂ）は端子カバーの斜視図である。
【図９】従来の電気機器を示す全体斜視図である。
【発明を実施するための形態】
【００１８】
以下、本発明に係る電気機器の各実施形態について図面を用いて説明する。尚、以下の説明では、図１（ａ）における上下を上下方向、端子カバー４の主片４０の短手方向における紙面手前側を前方向、紙面奥側を後方向と定めるものとする。
【００１９】
（実施形態１）
以下、本発明に係る電気機器の実施形態１について図面を用いて説明する。但し、本実施形態の基本的な構成は従来例と共通であるので、共通する部位には同一の番号を付して説明を省略するものとする。本実施形態は、図１（ａ），（ｂ）に示すように、端子カバー４に、端子用凹所２０の前面側の開口の少なくとも一部を覆う延設片４１を一体に形成し、延設片４１の長手方向の移動を規制する規制手段を設けたことに特徴がある。
【００２０】
端子カバー４は、略矩形状の主片４０と、主片４０の短手方向における一端縁から下方に向けて一体に突設された略矩形状の延設片４１とから断面略Ｌ字状に構成されている。主片４０には、厚み方向に貫設されてねじ端子を締め付けるためのドライバ等の冶具を挿入する略円形状の冶具挿入孔４０ｂが長手方向に沿って４つ設けられている。また、主片４０の長手方向における略中央部には、後述するカバー２のねじ挿通孔２２ａと連通する略円形状のねじ挿通孔４０ａが厚み方向に貫設されている。而して、該ねじ挿通孔４０ａ及びカバー２のねじ挿通孔２２ａに固定ねじ５を挿通して螺合することにより端子カバー４がカバー２に取付固定される。
【００２１】
延設片４１は、端子カバー４をカバー２に取り付けた状態において各端子用凹所２０の前面側の開口が後述する圧着端子６を２つ重ねた状態で挿入可能であって且つ手の指が入らない程度の寸法となるように形成されている。また、延設片４１の下端縁には、後述する隔壁２１と対向する位置に凹部４１ａが長手方向に沿って３つ設けられている。
【００２２】
圧着端子６は、図３（ｂ）に示すように、外部から引き回される電線（図示せず）の一端部が取り付けられる本体部６１と、前記電線の一端部と機械的且つ電気的に接続されるとともに端子用凹所２０に貫設されたねじ挿通孔２０ａと略同一寸法のねじ挿通孔（図示せず）が貫設された導体部６０とから成る。この圧着端子６の導体部６０を端子用凹所２０の底部に載置し、それぞれに設けられたねじ挿通孔を介してねじ止めすることでねじ端子と圧着端子６とが機械的且つ電気的に接続されるようになっている。
【００２３】
端子用凹所２０の底部には、圧着端子６をねじ止めするための略円形状のねじ挿通孔２０ａが貫設されており、該ねじ挿通孔２０ａを挟む形でねじ端子を取り付けるための一対の略矩形状の取付孔２０ｂが貫設されている。尚、ねじ端子については周知であるので、本実施形態及び下記の各実施形態では図示及び説明を省略する。前側の各隔壁２１には、端子カバー４の延設片４１が差し込まれる窪み部２１ａがそれぞれ設けられており、各窪み部２１ａの底部には、上方に突出するとともに延設片４１に設けられた凹部４１ａと嵌合する突部２１ｂが突設されている。即ち、延設片４１の凹部４１ａと隔壁２１の突部２１ｂとが上述の規制手段となる。
【００２４】
而して、延設片４１によって手の指の端子用凹所２０への侵入を防ぐことができる。また、仮に端子用凹所２０に手の指を強引に挿入しようとした場合でも、隔壁２１の凸部２１ｂが延設片４１の凹部４１ａに嵌合していることから、延設片４１が長手方向に沿って移動するのが規制されるので、延設片４１が前記長手方向に拡開する等して端子カバー４が押し上げられるのを防止することができ、各端子部３０，３１への手の指の侵入を防ぐことができる。
【００２５】
（実施形態２）
以下、本発明に係る電気機器の実施形態２について図面を用いて説明する。但し、本実施形態の基本的な構成は実施形態１と共通であるので、共通する部位には同一の番号を付して説明を省略するものとする。本実施形態は、図２に示すように、延設片４１を端子用凹所２０の前側の開口を全て覆う程度の寸法に形成するとともに、各端子用凹所２０と対応する位置に圧着端子６を２つ重ねて挿入可能であって且つ手の指が入らない程度の大きさの略矩形状の電線挿入孔４１ｂを貫設したことに特徴がある。このため、延設片４１における各電線挿入孔４１ｂの下側の部位が互いに連結されており、当該部位が規制手段となる。
【００２６】
而して、延設片４１によって手の指の端子用凹所２０への侵入を防ぐことができる。また、仮に端子用凹所２０に手の指を強引に挿入しようとした場合でも、延設片４１の電線挿入孔４１ｂの下側の部位によって延設片４１が長手方向に沿って移動するのが規制されるので、延設片４１が前記長手方向に拡開する等して端子カバー４が押し上げられるのを防止することができ、各端子部３０，３１への手の指の侵入を防ぐことができる。
【００２７】
ところで、圧着端子６を２つ重ねてねじ端子に取り付ける場合には、本体部６１の下方への出っ張りが挿入の妨げとなり、無理に挿入しようとすることで圧着端子６が端子カバー４を押し上げてしまうという問題があった。そこで、本実施形態では、図３（ａ），（ｂ）に示すように、端子カバー４を取り付けた際に各電線挿入孔４１ｂの下端縁が各端子用凹所２０の下端縁よりも下方に位置するようにすることで、本体部６１の下方への出っ張りを逃がす段差アを設けている。而して、該段差アを設けることによって圧着端子６を２つ重ねてねじ端子に取り付ける際に圧着端子６が端子カバー４を押し上げてしまうのを防止することができる。
【００２８】
（実施形態３）
以下、本発明に係る電気機器の実施形態３について図面を用いて説明する。但し、本実施形態の基本的な構成は実施形態１と共通であるので、共通する部位には同一の番号を付して説明を省略するものとする。本実施形態は、図４（ａ），（ｂ）に示すように、延設片４１の下端縁から下方に突出する略矩形状の複数（図示では５つ）の隔離片４２を延設片４１の長手方向に沿って所定の間隔を空けて突設し、各隔離片４２の下端部にカバー２に向かって突出する嵌合突部４２ａを突設するとともに、カバー２の前面において各嵌合突部４２ａと対応する位置に嵌合突部４２ａが嵌合する嵌合凹部２３を設けたことに特徴がある。即ち、隔離片４２の嵌合突部４２ａとカバー２の嵌合凹部２３とが規制手段となる。尚、各隔離片４２は、端子カバー４を取り付けた際に各端子用凹所２０の前側の開口を空けるように互いに離間して突設されている。
【００２９】
而して、延設片４１によって手の指の端子用凹所２０への侵入を防ぐことができる。また、仮に端子用凹所２０に手の指を強引に挿入しようとした場合でも、隔離片４２の嵌合突部４２ａがカバー２の嵌合凹部２３に嵌合していることから、延設片４１が長手方向に沿って移動するのが規制されるので、延設片４１が前記長手方向に拡開する等して端子カバー４が押し上げられるのを防止することができ、各端子部３０，３１への手の指の侵入を防ぐことができる。
【００３０】
尚、図５に示すように、各嵌合凹部２３を連結して延設片４１の長手方向に沿った溝状に形成しても構わない。この場合でも上記と同様の効果を奏することができる。
【００３１】
（実施形態４）
以下、本発明に係る電気機器の実施形態４について図面を用いて説明する。但し、本実施形態の基本的な構成は実施形態３と共通であるので、共通する部位には同一の番号を付して説明を省略するものとする。本実施形態は、図６（ａ），（ｂ）に示すように、器体Ａの上面には、端子カバー４を取り付けた際に端子カバー４の主片４０の後端縁と対向する位置に主片４０の長手方向に沿って溝部２２ｂが設けられ、端子カバー４の主片４０の後端縁には、その長手方向における両端部からそれぞれ下方に突出する突片４３が突設されたことに特徴がある。突片４３は、図６（ｂ）に示すように断面略Ｌ字状に形成されている。また、溝部２２ｂ内には、その長手方向における両端部にそれぞれ突片４３の一端部が係止される係止凹部２２ｃが設けられている。
【００３２】
而して、図６（ｃ）に示すように、端子カバー４の突片４３をカバー２の溝部２２ｂに挿入するとともに、突片４３の一端部を溝部２２ｂの係止凹部２２ｃに係止させることで、上記各実施形態のように端子カバー２と器体Ａとをねじ止めする事無く端子カバー４を器体Ａに容易に取り付けることができる。
【００３３】
（実施形態５）
以下、本発明に係る電気機器の実施形態５について図面を用いて説明する。但し、本実施形態の基本的な構成は実施形態４と共通であるので、共通する部位には同一の番号を付して説明を省略するものとする。本実施形態は、図７及び図８（ａ），（ｂ）に示すように、端子カバー４の主片４０の長手方向における両端部に、それぞれ前記長手方向における外方に向かって突出する突片４３が突設され、且つ前記両端部から上方に突出する一対の摘み部４４が突設されたことに特徴がある。尚、カバー２の係止凹部２２ｃは、それぞれ溝部２２ｂ内の長手方向における両端部の上記突片４３の一端部と対向する位置に設けられている。また、各摘み部４４が設けられた部位の近傍には切り欠き４０ｃが設けられており、各摘み部４４を主片４０の長手方向に沿った内方に撓み易くしている。
【００３４】
ここで、上記実施形態４では、端子カバー４を器体Ａに容易に取り付けることができるものの、端子カバー４を取り外す際にはマイナスドライバ等の冶具を端子カバー４とカバー２との間に差し込み、てこの原理を利用して端子カバー４を押し上げることで端子カバー４を取り外さなければならないために、端子カバー４を取り外す作業が容易でない。これに対して本実施形態では、端子カバー４を器体Ａに取り付けた状態において摘み部４４を手の指で挟持することで、端子カバー４を撓ませて突片４３と係止凹部２２ｃとの係止を解除することができるので、端子カバー４を器体Ａから容易に取り外すことができる。
【００３５】
ところで、上記実施形態２では、電線挿入孔４１ｂに圧着端子６を通した状態で圧着端子６をねじ端子に取り付けなければならず、取付作業が容易でないという問題がある。また、延設片４１に電線挿入孔４１ｂを貫設するためには、端子カバー４の製造時においてスライドコアを使用しなければならず、製造に手間とコストがかかるという問題がある。一方、上記実施形態１，３〜５では、電線挿入孔４１ｂの下方に相当する部位が開放されているので、上記実施形態２における問題は生じない。
【００３６】
尚、上記各実施形態では、従来例と同様に遠隔監視制御システムの調光端末器を例として説明しているが、調光端末器に限定される必要は無く、外部からの電源の供給を受けて動作する回路を有する電気機器であれば種々の用途に応じた他の構成であっても構わないことは言うまでもない。
【符号の説明】
【００３７】
２０  端子用凹所
２１  隔壁
２１ｂ  凸部
３０  電源用端子部
４  端子カバー
４１  延設片
４１ａ  凹部
Ａ  器体
【図１】
0005320485.tif 000002
【図２】
0005320485.tif 000003
【図３】
0005320485.tif 000004
【図４】
0005320485.tif 000005
【図５】
0005320485.tif 000006
【図６】
0005320485.tif 000007
【図７】
0005320485.tif 000008
【図８】
0005320485.tif 000009
【図９】
0005320485.tif 000010